(57)【要約】【課題】  ユーザー側の携帯端末から入力したデータが条件を満たさないために、制御対象に対する正規の制御が実行されなかった場合、その理由や対処法などをユーザーに対して提示可能な制御装置を提供する。【解決手段】  携帯端末３と近接通信が確立した後、不足条件記憶部８に不足条件が記憶されていないときには、近接通信部５を介して携帯端末３から情報を取得し、その情報が判定条件記憶部６に記憶させた判定条件を満足しているかどうかを判定部７に判定させ、判定部７が、条件を満足していると判定したときには制御対象１を制御し、上記条件を満たしていないと判定したとき不足条件を不足条件記憶部８に記憶させ、不足条件が記憶されている状態で上記近接通信が確立したときには、不足条件記憶部８が記憶している不足条件に応じたコマンドをコマンド記憶部９から抽出して上記携帯端末３に対して送出する処理部４を備える。【選択図】  図１
2011058246.tif 000002
【特許請求の範囲】
【請求項１】
携帯端末と通信するための近接通信部と、近接通信部を介して携帯端末から入力した情報があらかじめ設定した条件を満たしているか否かを判定する判定条件を記憶した判定条件記憶部と、上記近接通信部に入力した携帯端末からの情報が、上記判定条件記憶部に記憶した条件を満たしているか否かを判定する判定部と、上記条件を満たしていないと上記判定部が判定したとき、満たせなかった条件を記憶する不足条件記憶部と、上記不足条件に対応したコマンドを記憶するコマンド記憶部と、所定の制御対象に連係する処理部とを備え、この処理部は、上記携帯端末と近接通信が確立したとき、上記不足条件記憶部が不足条件を記憶しているかどうかを判定する機能と、不足条件が記憶されていないとき、上記近接通信部を介して携帯端末から情報を取得する機能と、取得した情報が上記判定条件記憶部に記憶させた判定条件を満足しているかどうかを判定部に判定させる機能と、判定部が上記条件を満足していると判定したとき、制御対象を制御する機能と、判定部が上記条件を満たしていないと判定したとき、上記不足条件を不足条件記憶部に記憶させる機能と、不足条件が記憶されている状態で上記近接通信が確立したとき、上記不足条件記憶部が記憶している不足条件に応じたコマンドをコマンド記憶部から抽出して上記携帯端末に対して送出する機能とを備えた制御装置。
【請求項２】
上記コマンド記憶部には、制御対象から出力されるエラー情報に対応したコマンドを記憶する機能を備えるとともに、上記処理部は、判定部が上記条件を満足していると判定し、制御対象の制御を開始した後、制御対象から出力されるエラー情報を受信する機能と、この受信したエラー情報を不足条件として上記不足条件記憶部に記憶させる機能と、上記不足条件記憶部にエラー情報を記憶している状態で上記携帯端末との間で近接通信が確立したとき、上記エラー情報に対応したコマンドを上記携帯端末に送信する機能とを備えた請求項１記載の制御装置。
【発明の詳細な説明】
【技術分野】
【０００１】
この発明は、外部から入力された情報が、所定の条件を満足したときに、制御対象を制御する制御装置に関する。
【背景技術】
【０００２】
従来から、ＩＣチップなどに書き込まれた情報を読み取って、その情報が所定の条件を満足しているときにのみ、制御対象を制御するシステムがあった。例えば、ＩＣチップを内蔵した携帯端末を電気錠装置のＩＣリーダーにかざして、ＩＣチップが記憶しているＩＤを読み込ませると、電気錠装置の制御部が、読み取ったＩＤが予め登録されているＩＤか否かを判定し、登録ＩＤであると判定したときに、電気錠装置を制御して開錠するようにしているものがある。
【先行技術文献】
【特許文献】
【０００３】
【特許文献１】特開２００６−２０７３６１号公報
【発明の概要】
【発明が解決しようとする課題】
【０００４】
上記のようなシステムにおいて、ユーザーが携帯端末をリーダーにかざしても、電気錠が開錠されなかったとき、ユーザーは開錠されない理由がわからないことがある。
開錠されない理由として、例えば、リーダーに対する携帯端末のかざし方が悪くて、上記リーダーがＩＤを読み取りそこなった場合や、読み取ることはできたが、読み取ったＩＤが登録されていなかった場合などが考えられる。しかし、開錠されない理由が示されるわけではないので、ユーザーは、すぐに本当の理由を知ることはできない。
【０００５】
ユーザーは、開錠されるものと考えて携帯端末をリーダーにかざしているのに、開錠されなかった場合には、ＩＤの読み取らせ方が悪かったと考えて、携帯端末を再度リーダーにかざしてみることが多い。それでも開錠されない場合には、電気錠装置が故障しているのか、携帯端末が故障しているのか、あるいはＩＤが未登録だったのかもしれないと考える。そして、ユーザーは電気錠装置の管理者に連絡したり、自分の携帯端末を調べたりして原因を確かめる。その上でＩＤが未登録だった場合には、改めて登録手続き行なう。
上記従来のシステムでは、例えば、電気錠が開錠しないというような不具合の原因がすぐにわからないので、ユーザーはスムーズな対応ができないという問題があった。
【０００６】
この発明の目的は、ユーザー側の携帯端末から入力したデータが条件を満たさないために、制御対象に対する正規の制御が実行されなかった場合、その理由や対処法などをユーザーに対して提示可能であって、ユーザーの利便性が高い制御装置を提供することである。
【課題を解決するための手段】
【０００７】
第１の発明は、携帯端末と通信するための近接通信部と、近接通信部を介して携帯端末から入力した情報があらかじめ設定した条件を満たしているか否かを判定する判定条件を記憶した判定条件記憶部と、上記近接通信部に入力した携帯端末からの情報が、上記判定条件記憶部に記憶した条件を満たしているか否かを判定する判定部と、上記条件を満たしていないと上記判定部が判定したとき、満たせなかった条件を記憶する不足条件記憶部と、上記不足条件に対応したコマンドを記憶するコマンド記憶部と、所定の制御対象に連係する処理部とを備え、この処理部は、上記携帯端末と近接通信が確立したとき、上記不足条件記憶部が不足条件を記憶しているかどうかを判定する機能と、不足条件が記憶されていないとき、上記近接通信部を介して携帯端末から情報を取得する機能と、取得した情報が上記判定条件記憶部に記憶させた判定条件を満足しているかどうかを判定部に判定させる機能と、判定部が上記条件を満足していると判定したとき、制御対象を制御する機能と、判定部が上記条件を満たしていないと判定したとき、上記不足条件を不足条件記憶部に記憶させる機能と、不足条件が記憶されている状態で上記近接通信が確立したとき、上記不足条件記憶部が記憶している不足条件に応じたコマンドをコマンド記憶部から抽出して上記携帯端末に対して送出する機能とを備えた点に特徴を有する。
なお、上記近接通信とは、近接通信部同士が、数ｍｍ〜数ｃｍの距離に接近したときに確立される通信のことである。
【０００８】
第２の発明は、第１の発明を前提とし、上記コマンド記憶部には、制御対象から出力されるエラー情報に対応したコマンドを記憶する機能を備えるとともに、上記処理部は、判定部が上記条件を満足していると判定し、制御対象の制御を開始した後、制御対象から出力されるエラー情報を受信する機能と、この受信したエラー情報を不足条件として上記不足条件記憶部に記憶させる機能と、上記不足条件記憶部にエラー情報を記憶している状態で上記携帯端末との間で近接通信が確立したとき、上記エラー情報に対応したコマンドを上記携帯端末に送信する機能とを備えた点に特徴を有する。
【発明の効果】
【０００９】
第１、第２の発明によれば、携帯端末から入力された情報が条件を満たさなかった場合に、その不足条件に対応するコマンドを携帯端末に対して出力することによって、携帯端末に、上記不足条件に対応した動作を実行させることができる。上記携帯端末の、不足条件に対応した動作として、不足条件に関する情報を表示させたり、条件を満足させるための対応策を提示させたりすることができ、これにより、ユーザーは適切な対応をスムーズにできるようになる。
特に、第２の発明によれば、携帯端末から入力された情報が条件を満たしたとしても、正規の動作が実行されない、制御対象の故障などにも対応できる。
【図面の簡単な説明】
【００１０】
【図１】第1実施形態のシステム構成図である。
【図２】第1実施形態の制御装置の処理手順を示したフローチャートである。
【図３】第２実施形態の制御装置の処理手順を示したフローチャートである。
【図４】第３実施形態のシステム構成図である。
【発明を実施するための形態】
【００１１】
図1、図２に示す第1実施形態は、制御対象としての電気錠装置１を制御するための制御装置２と、制御装置２に情報を入力するための携帯端末３とを備えたシステムである。
上記携帯端末３はユーザーが利用する端末で、この実施形態では電気錠装置１を開錠させるためのユーザー情報を記憶しているものとする。このユーザー情報とは、ユーザーごとあるいは携帯端末３ごとに設定された情報であって、具体的には、携帯端末固有の端末ＩＤのほか、ユーザーごとに設定したユーザーＩＤなどであるが、ここでは端末ＩＤとする。そして、このユーザー情報が、この発明の制御装置に携帯端末から入力する情報に当たる。
【００１２】
上記制御装置２は、処理部４と、近接通信部５と、判定条件記憶部６と、判定部７と、不足条件記憶部８と、コマンド記憶部９とを備えている。
上記近接通信部５は、携帯端末３との間で近接通信を行なうための機能を備えている。なお、近接通信とは、近接通信部同士を数ｃｍまで近づけたときに確立される通信のことである。そして、この近接通信部５は、後で説明する携帯端末３の近接通信部１０が接近したとき、通信可能になる。
【００１３】
上記判定条件記憶部６は、携帯端末３から入力された情報と対比する条件を記憶する記憶部であり、判定部７は、携帯端末３から入力された情報を上記判定条件記憶部６が記憶している条件と対比して、上記入力された情報が条件を満足しているか否か判定する機能を有する。
この第１実施形態において上記判定条件記憶部６は、上記電気錠装置１を開錠するための条件を記憶するもので、例えば、開錠を許可するユーザーの携帯端末の端末ＩＤと、その判定基準とを登録しておくところである。
上記判定基準とは、例えば、数桁の端末ＩＤの全桁が登録ＩＤの全桁と一致したときに条件を満足したと判定するとか、あるいは、端末ＩＤの所定の桁数だけが登録ＩＤと一致すれば条件を満足していると判定するというような、条件満足の基準である。
【００１４】
また、不足条件記憶部８は、判定部７が上記入力された情報が条件を満足していないと判定したとき、満足していない条件をこの発明の不足条件として記憶するところである。例えば、携帯端末３から入力された端末ＩＤが未登録のＩＤであるという情報や、端末ＩＤを読み取れなかったという情報などが、上記不足条件である。
なお、この第１実施形態では、上記不足条件記憶部８を揮発性メモリとし、制御装置２の電源が切れるとその記憶情報が消去されるものとする。
【００１５】
さらに、上記コマンド記憶部９は、上記不足条件に対応するコマンドを記憶する記憶部であり、携帯端末３に対して送信されるコマンドである。
この第１実施形態において上記不足条件に対応するコマンドは、携帯端末３に対し、不足条件に関連する情報を表示させるためのコマンドとする。
そして、上記処理部４は、この制御装置２の各要素の機能を実行させる機能と、これに接続した制御対象である電気錠装置１を制御する機能とを備えている。具体的には、処理部４は、携帯端末３から入力された情報が条件を満足したときに、電気錠を開錠させる制御を行なう。
【００１６】
一方、携帯端末３は、制御装置１の近接通信部５と通信するための近接通信部１０と、処理部１１と、上記制御装置へ入力する情報、ここでは上記ユーザー情報を記憶するメモリ１２と、様々なデータを表示するディスプレイ１３と、インターネットＮなどに接続するためのネットワーク通信部１４とを備えている。
上記近接通信部１０は、制御装置１から送信された情報を受信するとともに、その情報を処理部１１あるいはメモリ１２に振り分ける機能を備えている。
また、インターネットＮには、上記不足条件に関連した関連情報を提供する関連情報サーバーＣ１を設けている。
【００１７】
なお、上記メモリ１２は、例えば、ＩＣチップなどで構成され、上記処理部１１及び近接通信部１０の両方からアクセス可能にしたデータ記憶手段である。つまり、メモリ１２が記憶している情報には、処理部１１からアクセスすることもできるし、上記近接通信部１０及び５を介して、制御装置２がアクセスすることもできる。
また、メモリ１２は、近接通信部１０を介して情報を書き込ませるための所定のコマンドが入力されたき、自身がメモリ１２に情報を書き込む機能も備えている。
従って、上記端末ＩＤなどのユーザー情報は、携帯端末３の処理部１１がメモリ１２に記憶させるようにしてもよいし、専用の登録ＩＤ配布装置によって近接通信部１０を介して入力し、メモリ１２が書き込むようにしてもよい。
【００１８】
次に、このシステムの作用を図２のフローチャートに従って説明する。このフローチャートは、制御装置２の処理部４の処理を示したものである。
なお、制御装置２は電気錠装置１を制御するための装置であり、携帯端末３を用いて電気錠装置１を開錠させたいユーザーが、携帯端末３から情報を読み込ませたとき、電気錠が開錠されたかどうかをその場で確認できる程度に、制御装置２と電気錠装置１とは近くに設置されている。
【００１９】
まず、ユーザーは、制御装置２の図示しない電源スイッチを操作してオンにするとともに、自分の携帯端末３で制御装置２の近接通信部５にタッチする。
ステップＳ１で、処理部４は、電源オンになって起動する。
ステップＳ２で、処理部４は電源がオンになってからの経過時間が設定時間以内かどうか判断する。この設定時間は、予め処理部４に設定しておく時間であり、処理部４は電源がオンになったら時間計測を開始するものとする。
ステップＳ２で設定時間以内の場合にはステップＳ３へ進むが、設定時間を超えていた場合には、ステップＳ１１へ進み、処理部４は電源をオフにし、処理を終了する。
ステップＳ３で、処理部４は近接通信が確立したかどうか判断する。そして、近接通信が確立していない場合には、ステップＳ２へ戻る。すなわち、電源をオンしてから、設定時間だけ、近接通信が確立するのを待つ。言い換えれば、設定時間内に近接通信が確立しなければ、ステップＳ１１へ進み、処理部４が電源をオフにする。
【００２０】
上記ステップＳ３で近接通信の確立を確認したら、処理部４は不足条件記憶部８に不足条件が記憶されているか否かを確認する。不足条件が記憶されていた場合にはステップＳ９へ進み、記憶されていない場合にはステップＳ５へ進む。
ステップＳ５へ進んだ場合、処理部４は、近接通信部５及び近接通信部１０を介して携帯端末３のメモリ１２に予め記憶されているユーザー情報である端末ＩＤを取得し、これを判定部７に判定させる。
判定部７は、入力されたユーザー情報が条件を満足しているか否かを判定する。具体的には、処理部４から入力された端末ＩＤと判定条件記憶部６が記憶している登録済みの端末ＩＤとを対比して条件が満足されているか否かを判定し、その判定結果を処理部４へ入力する。
【００２１】
ステップＳ６で、条件を満足していると判定された場合、処理部４はステップＳ７へ進み、制御対象を制御する。この第１実施形態では、電気錠装置１を開錠してステップＳ２へ戻る。その後、設定時間が経過すれば、ステップＳ２からステップＳ１１へ進んで電源をオフにして処理を終了する。
【００２２】
ステップＳ６で、上記判定部７の判定結果が、条件を満足していないというものだった場合、処理部４は不足条件を不足条件記憶部８に記憶させる。例えば、「入力された端末ＩＤが未登録である」という内容の情報である。
このように携帯端末３から入力された端末ＩＤが条件を満足していない場合には、処理部４は制御対象である電気錠は開錠しない。そこで、携帯端末３のユーザーは、再度、制御装置２に携帯端末３をタッチさせて端末ＩＤを読み取らせようとする。これにより、上記設定時間内に近接通信が確立すれば、上記ステップＳ４以降に進むことになる。
但し、設定時間が経過した場合には、ステップＳ１１に進み、制御装置２の電源がオフになるので、処理部４は処理を終了し、先に記憶させた不足条件は消去される。
【００２３】
つまり、携帯端末３から入力された情報が条件を満足せずに、設定時間を経過しない範囲内に、携帯端末３を、制御装置２に再度タッチさせ場合に、不足条件記憶部８に不足条件が記憶された状態で近接通信が確立し、ステップＳ４で不足条件が記憶されていると判断する。
処理部４は、ステップＳ４で不足条件が記憶されていると判断したら、ステップＳ９へ進み、不足条件記憶部８が記憶している不足条件に対応するコマンドを上記コマンド記憶部９から抽出し、それを携帯端末３に対して出力する。
【００２４】
上記不足条件記憶部８が記憶している不足条件が、例えば、「端末ＩＤが未登録」というものであったら、それに対応するコマンドをコマンド記憶部９から抽出し、近接通信部５から出力する。この不足条件に対応するコマンドは、例えば、「端末ＩＤが未登録」の関連情報を表示させる、というもので、携帯端末３の処理部１１に対するものである。
処理部４は、上記コマンドを出力したら、ステップＳ１０に進み、不足条件記憶部８が記憶している不足条件を消去してから、電源をオフにする（ステップＳ１１）。
【００２５】
このように、不足条件に対応するコマンドを出力した後や、電源オンから設定時間を超えた場合に、不足条件を消去するようにしているので、新たなユーザーの携帯端末３との通信が確立したときに、以前に情報を入力したユーザーに対応した不足条件が不足条件記憶部８に残っていることがない。もしも、上記条件を満足しなかったユーザーが２度目の近接通信をさせずにその場を離れたような場合に、不足条件記憶部８に不足条件が記憶されたままになっていると、ステップＳ４からステップＳ５へ進まないため、新たなユーザー情報を取り込むことができなくなってしまう。しかし、上記のように、上記ステップＳ１０、Ｓ１１で不足条件を消去すれば、そのような不都合は生じない。
但し、この第１実施形態では、電源がオフになったとき、自動的に不足条件記憶部８が記憶している情報が消去されるようにしているので、上記ステップＳ１０を省略することもできる。
【００２６】
また、この制御装置２の電源は常時オンにしておくようにしてもかまわないが、その場合には、処理部４が不足条件を積極的に消去するステップＳ１０は必須であり、不足条件に対応するコマンドを出力しなくても、不足条件を記憶させてから設定時間が経過したら不足条件を消去するようにする必要がある。例えば、図２に示すフローチャートにおいて、ステップＳ２で設定時間を超えたと判断した場合には、ステップＳ１０に進むようにする。
さらに、不足条件記憶部８を不揮発性メモリとしたりした場合にも、不足条件記憶部８の不足条件を消去する処理が必要である。
【００２７】
そして、上記設定時間は、条件を満足しないユーザーが、１回目に携帯端末３を制御装置２にタッチさせてから、所望の制御が行われなかったことを知ってから、再度携帯端末３をタッチさせることができる程度の時間である。
上記のように、制御装置２の処理部４は、電源がオン（ステップＳ１）になってから、設定時間内に、制御対象機器を制御、すなわち電気錠装置１を開錠させる（ステップＳ７）か、不足条件を記憶させる（ステップＳ８）か、不足条件に対応するコマンドを出力（ステップＳ９）して不足条件を消去する（ステップＳ１０）かのいずれかを実行して処理を終了する。
【００２８】
上記ステップＳ９で、不足条件に対応するコマンドが出力された場合、携帯端末３では、近接通信部１０が、受信した上記コマンド１を処理部１１に入力する。処理部１１には、例えば、上記した「端末ＩＤが未登録（不足条件）、の関連情報を表示」というコマンドが入力される。処理部１１は、上記コマンドに従って制御装置２から入力された不足条件である、「端末ＩＤが未登録」という事項に関連する情報を、ディスプレイ１３に表示させるが、処理部４は、上記表示すべき関連情報を、ネットワーク通信部１４を介して上記関連情報サーバーＣ１から取得するようにしている。
例えば、この関連情報サーバーＣ１で、「端末ＩＤが未登録」という不足条件に、ＩＤの登録画面を関連情報として対応付けておけば、処理部１１はＩＤの登録画面を関連情報サーバーＣ１から取得してディスプレイ１３に表示させる。そして、ユーザーが、この登録画面から端末ＩＤを登録できるようにすることも可能である。
上記制御装置１から出力されるコマンドは、携帯端末３の制御部１１に、上記のようなＩＤ登録画面を不足条件の関連情報として関連情報サーバーＣ１から取得し、それをディスプレイ１３に表示させるものである。
【００２９】
このようにすれば、端末ＩＤが未登録のために、電気錠装置１を開錠できなかったユーザーは、その理由や問題の対処法がすぐにわかり、便利である。
但し、上記「端末ＩＤが未登録」という不足条件の関連情報としては、ＩＤの登録画面ではなく、登録手順を説明するような画面でもよいし、単に、未登録であることを表示するだけでもよい。また、上記関連情報は、外部の関連情報サーバーＣ１から取得するものに限らず、携帯端末３内に予め記憶させておくデータベースから抽出するようにしてもよい。
さらに、制御装置２から出力された不足条件をそのまま表示するようにしてもかまわない。
なお、上記第１実施形態では、制御装置２の制御対象が電気錠装置１であるが、制御対象は電気錠装置に限らず、どのようなものでもかまわない。上記制御装置２は、ユーザー側の情報入力が必要などのような装置にも適用できる。
【００３０】
図３は、この発明の制御対象である上記電気錠装置１が自己診断機能を備えていて、自身の故障に対応するエラー情報を出力する機能を備えている第2実施形態の処理手順を示したフローチャートである。
この第2実施形態の制御装置２及び、これを用いた電気錠装置１の制御システムの全体構成は、図１に示す第１実施形態と同じなので、以下の説明にも図１を用いる。
この第２実施形態の、制御装置２の構成要素及は、第１実施形態と同じであるが、コマンド記憶部９は、上記不足条件に対応するコマンドとともに、上記エラー情報に対応するコマンドを記憶している点と、処理部４が制御対象である電気錠装置１から出力されるエラー情報を受信し、それを不足条件として不足条件記憶部８に記憶させる点が異なる。
【００３１】
また、上記携帯端末３は、第１実施形態の携帯端末３と同様に機能する。
一方、上記電気錠装置１は、上記制御装置２から入力された制御信号に基づいて動作するが、電気錠装置１側の何らかの不都合により、上記制御信号に基づいた動作ができない場合に、その故障箇所や原因などを特定してエラー情報を出力する自己診断機能を備えている。
【００３２】
次に、この第２実施形態のシステムの作用を図３のフローチャートに従って説明する。なお、図３は、制御装置２の処理部４の処理を示したものであるが、上記第１実施形態と相違する点を中心に説明する。
まず、ユーザーが制御装置１の電源をオン（ステップＳ１）にして処理部４の処理が開始する。
そして、ステップＳ６で、携帯端末３から入力されたユーザー情報が条件を満足していると判断して、ステップＳ７へ進んだ場合のみ、図２示す第１実施形態と異なる処理ステップを実行する。そこで、以下には、ステップＳ７以降の処理について説明する。
【００３３】
処理部４は、ステップＳ７で電気錠装置１を制御する。厳密には、処理部４が開錠のための制御信号を出力する。このとき、上記電気装置１に故障箇所などがあると、開錠されずに、電気錠装置１は自己診断機能によって上記処理部４に対しエラー情報を出力する。
ステップＳ１２で、制御装置２の処理部４は、上記エラー情報を受信した場合には、ステップＳ８へ進み、それを不足条件として不足条件記憶部８に記憶させる。ステップＳ１２で、エラー情報を受信しなかった場合には、電気錠装置１が所定の動作をし、処理部４はステップＳ２へ戻る。
このように、制御対象を制御した後、エラー情報を受信した場合には、エラー情報を不足条件として記憶させる処理ステップＳ１２ステップＳ８が追加されているが、その他は、上記第１実施形態と同じである。
【００３４】
つまり、この第２実施形態では、ステップＳ９では、ユーザー情報が条件を満足しなかったことによって不足条件記憶部８に記憶させた不足条件に対応するコマンドを出力する場合と、ユーザー情報は条件を満足したが、制御対象からエラー情報が出力されたことによって記憶させた不足条件であるエラー情報に対応するコマンドを出力する場合の二つのケースがある。
いずれにしても、ステップＳ９では、制御装置２の処理部４は不足条件記憶部８が記憶している不足条件に対応したコマンドをコマンド記憶部９から抽出して出力するだけである。
【００３５】
そして、不足条件としてのエラー情報に対応するコマンドも、エラー情報に関連する情報を表示させるものなどで、携帯端末３のディスプレイ１３に制御対象である電気錠装置１の不具合を表示することができる。この場合も、電気錠装置１から出力されるエラー情報をそのまま表示させるようにしてもよいが、関連情報としてユーザーにわかりやすい表現や、解説を付加した情報を、携帯端末３の処理部１１が上記関連情報サーバーＣ１などから取得してディスプレイ１３に表示させるようにすることもできる。
【００３６】
このように、制御対象からのエラー情報を受信して、その関連情報を携帯端末３に表示させるようにすると、例えば、端末ＩＤが認証されたのにもかかわらず、電気錠が開錠されない場合にもその理由がわかるので、何回も携帯端末３から情報を読み取らせようとしたり、登録されているかどうかを確認したりという無駄なことをしなくても済むようになる。例えば、上記エラー情報の関連情報として、電気錠装置１の管理者への連絡電話番号や、メールアドレスなどを表示させるようにすると、電気錠装置１の故障にも簡単に対応できる。特に、携帯端末３として携帯電話機を利用すれば、管理者への連絡がより速やかにできる。
なお、この第２実施形態においても、上記第１実施形態と同様に、不足条件記憶部８が記憶している不足条件は、電源のオフによって消去されるものとするだけでなく、処理部４によって所定のタイミングで消去するようにしてもよい。
【００３７】
図４に示す第３実施形態は、携帯端末３が制御装置２の制御対象を兼ねるシステムである。携帯端末３は、情報表示装置として制御装置２に制御されるものとする。
この第３実施形態の制御装置２及び携帯端末３は、図１に示す第１実施形態と同様の構成要素を備えているが、処理部４は制御対象に直接接続せず、近接通信部５及び１０を介して、制御対象である携帯端末３と接続するようにしている。
このシステムでは、携帯端末３から制御装置２へ入力される情報が所定の条件を満たした場合にのみ、特定の情報を取得して表示するように、制御装置２が制御対象である携帯端末３を制御する。
【００３８】
そして、上記携帯端末３から制御装置２へ入力されるユーザー情報は、上記第１実施形態と同様にメモリ１２に記憶させておくものとする。
また、上記ユーザー情報が所定の条件を満足した場合に制御装置２が制御対象である携帯端末３を制御して特定の情報を表示させるが、この情報はインターネットＮに接続した情報提供サーバーＣ２から携帯端末３が取得するものとする。つまり、制御装置２は、条件を満足した携帯端末３に対して、情報提供サーバーＣ２のアクセス先を指定して、そこから取得した情報をディスプレイ１３に表示させるためのコマンドを出力する。
【００３９】
このように、制御装置２の制御対象が携帯端末３であり、その制御の種類が異なるが、その他の機能は上記第１実施形態と同じである。
この第３実施形態のシステムにおいても、制御装置２の処理部４の処理手順は、図２に示す第１実施形態のフローチャートに示す通りである。
すなわち、ステップＳ１で電源がオンになって、ステップＳ２〜Ｓ３で、設定時間内に近接通信が確立し、ステップＳ４で不足条件記憶部８に不足条件が記憶されていなければ、ステップＳ５へ進む。
ステップＳ５で、処理部４は、携帯端末３のメモリ１２からユーザー情報を取得し、そのユーザー情報が、判定条件記憶部６が記憶している条件を満足しているか否か判定部７に判定させる。
【００４０】
ステップＳ６で、上記ユーザー情報が条件を満足していると判断したら、ステップＳ７で処理部４が制御対象である携帯端末３を制御する。具体的には、上記近接通信部５及び１０を介して、携帯端末３の処理部１１に対し、情報提供サーバーＣ２にアクセスして特定の情報を取得し、それをディスプレイ１３に表示させるコマンドを出力する。この制御コマンドは、上記コマンド記憶部９に記憶させてもよいが、この発明の不足条件に対応したコマンドとは別のものである。
そして、上記のようにステップＳ７で制御装置２に制御された携帯端末３は上記情報提供サーバーＣ２から取得した情報をディスプレイ１３に表示させる。
【００４１】
一方、ステップＳ６で、上記携帯端末３から取得したユーザー情報が条件を満足していないと判断した場合には、上記第１実施形態と同様に、不足条件記憶部８に不足条件を記憶させる。その後、設定時間内に、近接通信の確立を確認（ステップＳ２〜Ｓ３）したら、処理部４は、ステップＳ４からステップＳ９へ進み、不足条件に対応するコマンドを出力する。
【００４２】
上記不足条件に対応するコマンドは、ユーザーの携帯端末３から入力されたユーザー情報が条件を満足しなかったことに関連する情報を表示させるコマンドであり、上記情報提供サーバーＣ２からの提供情報が表示できない等を表示させるものでもよいが、上記情報提供サーバーＣ２とは別の関連情報サーバーＣ１から取得した別の情報を表示させるようにしてもよい。
【００４３】
例えば、上記情報提供サーバーＣ２は女性向けの情報を提供するサーバーとし、不足条件に関連した関連情報サーバーＣ１は男性向けの情報を提供するサーバーとする。そして、携帯端末３のメモリ１２から取得したユーザー情報が女性の条件を満足した場合には、情報提供サーバーＣ２の女性向け情報がディスプレイ１３に表示されるが、女性としての条件を満足しなかった場合には、不足条件に対応するコマンドとして、関連情報サーバーＣ１の情報を表示させるコマンドが出力され、携帯端末３のディスプレイ１３には男性向け情報が表示されるようにする。
なお、上記判定条件には複数の基準を設け、条件の満足度、あるいは不満足度に応じて異なるコマンドを対応付けるようにすれば、上記制御装置２によって、携帯端末３のユーザーの資格に応じた様々な情報を提供することもできる。
【００４４】
また、上記携帯端末３を制御対象とするシステムにおいて、上記制御装置２が、条件に応じて割引クーポンなどの特典を携帯端末３に与えるようにすることもできる。
例えば、特定の店舗における商品の購入金額に応じてクーポンを与えるようにする場合、携帯端末３のメモリ１２にはクーポンの取得資格を判断するための情報として、購入金額情報を記憶させておく。この購入金額情報は、店舗での支払い時に近接通信部１０を介して入力されるようにしてもよいし、図示しない購買履歴管理システムからネットワーク通信部１４を介して、ユーザーが取得するようにしてもよい。
【００４５】
また、制御装置２の判定条件記憶部には、クーポンを付与する条件を記憶させ、コマンド記憶部９には、条件を満足しなかった場合の不足条件に対応するコマンドを記憶させておく。
そして、制御装置２が近接通信部５及び１０を介して、携帯端末３のメモリ１２から取得した購入金額情報が、上記判定条件を満足した場合には、処理部４は、近接通信部５及び１０を介して、メモリ１２にクーポン情報を書き込ませる制御を実行する。
【００４６】
一方、上記条件を満足しなかった場合には、不足条件を不足条件記憶部８に記憶させ、その状態で近接通信が確立した場合に、不足条件に対応したコマンドを出力するようにする。この不足条件に対応したコマンドは、購入金額が条件を満たさないのでクーポンは発行できない旨の表示や、上記店舗での取扱商品の情報などを表示させるものなどである。そして、携帯端末３の処理部１１は、制御装置２から出力されたコマンドに応じて、上記関連情報サーバーＣ１などから取得した不足条件に関連した情報をディスプレイ１３に表示させる。
また、上記不足条件は、基準金額に達していないということだけでなく、不足金額の大小まで含むものであってもよく、不足金額に応じたコマンドを出力することもできる。
【００４７】
上記第１〜第３実施形態の制御装置２によれば、携帯端末３から入力される情報が、所定の条件を満足している場合に制御対象を制御し、条件を満足してない場合には制御対象を制御しないだけでなく、携帯端末３に対し、不足条件に対応したコマンドを出力して、携帯端末側で条件を満足していないことがわかるようにできる。そのため、ユーザーは、制御対象が期待通りに制御されない場合にも、その理由や対処法を知ることができる。
また、上記制御装置２は、携帯端末３からの情報が、条件を満足しているか否かに応じて別の情報を取得させることができ、ユーザーの資格に応じた情報を提供する情報提供システムに利用することもできる。
【符号の説明】
【００４８】
１      （制御対象である）電気錠装置
２      制御装置
３      携帯端末
４      処理部
５      近接通信部
６      判定条件記憶部
７      判定部
８      不足条件記憶部
９      コマンド記憶部
【図１】
2011058246.tif 000003
【図２】
2011058246.tif 000004
【図３】
2011058246.tif 000005
【図４】
2011058246.tif 000006